【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
１０重量％を超える水分を有する湿潤木材パルプを連続的に溶融加工することにより得られる木材パルプ及びポリマーマトリックスを含むセルロース複合材料であって、パルプはポリマーマトリックス内に実質的に均一に分散されているセルロース複合材料。
【請求項２】
前記連続的に溶融加工することはマスターバッチを形成する、請求項１に記載のセルロース複合材料。
【請求項３】
前記湿潤木材パルプは、少なくとも２０重量％の水分含有量を有する、請求項１に記載のセルロース複合材料。
【請求項４】
前記湿潤木材パルプは、少なくとも２５重量％の水分含有量を有する、請求項３に記載のセルロース複合材料。
【請求項５】
前記木材パルプが機械パルプおよび化学パルプのうちの１つである、請求項１に記載のセルロース複合材料。
【請求項６】
前記木材パルプが前記化学パルプである、請求項５に記載のセルロース複合材料。
【請求項７】
前記化学パルプが、クラフトプロセスにより得られたクラフトパルプである、請求項６に記載のセルロース複合材料。
【請求項８】
前記パルプが前記機械パルプである、請求項５に記載のセルロース複合材料。
【請求項９】
前記機械パルプがリグニンを含み、前記リグニンが前記パルプの乾燥重量の５％〜３５％を構成する、請求項８に記載のセルロース複合材料。
【請求項１０】
前記パルプの割合が前記複合材料の５０重量％を超え、かつ９９重量％までの範囲である、請求項１に記載のセルロース複合材料。
【請求項１１】
前記パルプの割合が、前記複合材料の５０重量％を超え、かつ９５重量％までの範囲である、請求項１０に記載のセルロース複合材料。
【請求項１２】
前記パルプの割合が前記複合材料の５０重量％を超え、かつ９０重量％までの範囲である、請求項１１に記載のセルロース複合材料。
【請求項１３】
前記パルプの割合が前記複合材料の８０重量％〜９９重量％の範囲である、請求項１０に記載のセルロース複合材料。
【請求項１４】
前記ポリマーマトリックスは、高密度ポリエチレン、低密度ポリエチレン、線状低密度ポリエチレン、ポリオレフィンベースのイオノマーを含む機能性ポリオレフィンコポリマー、ポリプロピレン、ポリオレフィンコポリマー、ポリスチレン、ポリスチレンコポリマー、ポリアクリレート、ポリメタクリレート、ポリエステル、ポリ塩化ビニル（ＰＶＣ）、フルオロポリマー、ポリアミド、ポリエーテルイミド、ポリフェニレンスルフィド、ポリスルホン、ポリ乳酸（ＰＬＡ）、ポリアセタール、ポリカーボネート、ポリフェニレンオキシド、ポリウレタンおよび熱可塑性エラストマーのうちの少なくとも１つを含む、請求項１に記載のセルロース複合材料。
【請求項１５】
前記ポリマーマトリックスは、生物ベースのポリエステル、生分解性のポリエステル、堆肥化可能なポリエステル、ポリアミド、ポリウレタン、ポリアクリレート、ポリオレフィン、熱可塑性デンプン、セルロース系、ＰＬＡ（ポリ乳酸）、ＰＨＡ（ポリヒドロキシアルカノエート）、ＰＢＡＴ（ポリブチレンアジピン酸テレフタレート）、ＰＢＳ（ポリブチレンサクシネート）、ＰＣＬ（ポリカプロラクトン）およびＰＧＡ（ポリグリコール酸）のうちの少なくとも１つを含むバイオプラスチックポリマーを含む、請求項１に記載のセルロース複合材料。
【請求項１６】
前記ポリオレフィンコポリマーは、エチレン−ブテン、エチレン−オクテンおよびエチレンビニルアルコールのうちの１つを含み、かつ前記ポリスチレンコポリマーが、耐衝撃性ポリスチレンおよびアクリロニトリルブタジエンスチレンコポリマーのうちの１つを含む、請求項１４に記載のセルロース複合材料。
【請求項１７】
添加剤を含む、請求項１に記載のセルロース複合材料。
【請求項１８】
前記添加剤が、酸化防止剤、光安定剤、繊維、発泡剤、起泡性添加剤、ブロッキング防止剤、熱安定剤、衝撃改質剤、殺生物剤、抗菌性添加剤、相溶化剤、可塑剤、粘着付与剤、加工助剤、潤滑剤、カップリング剤、難燃剤、顔料および着色剤のうちの少なくとも１つである、請求項１７に記載のセルロース複合材料。
【請求項１９】
前記添加剤がカップリング剤である、請求項１７に記載のセルロース複合材料。
【請求項２０】
前記カップリング剤が、シラン、ジルコネート、チタネート、官能化ポリマーおよび無水マレイン酸グラフトポリマーのうちの少なくとも１つである、請求項１９に記載のセルロース複合材料。
【請求項２１】
前記カップリング剤が前記複合材料の０．１重量％〜１０重量％の範囲にある、請求項１９に記載のセルロース複合材料。
【請求項２２】
追加の充填材をさらに含む、請求項１に記載のセルロース複合材料。
【請求項２３】
前記追加の充填材が、タルク、マイカ、粘土、シリカ、アルミナ、炭素繊維、カーボンブラック、ガラス繊維、木粉、木材繊維、非木材植物繊維、おがくず、木削りくず、新聞紙、紙、亜麻、大麻、小麦わら、籾殻、ケナフ、ジュート、サイザル、ピーナッツ殻、大豆殻、リグニン、炭酸カルシウムおよびセルロース系繊維のうちの少なくとも１つを含む、請求項２２に記載のセルロース複合材料。
【請求項２４】
追加の充填材が前記複合材料の１重量％〜９０重量％の範囲である、請求項２２に記載のセルロース複合材料。
【請求項２５】
追加の充填材が前記複合材料の５重量％〜７５重量％の範囲である、請求項２４に記載のセルロース複合材料。
【請求項２６】
前記複合材料が、９６時間の水中での浸漬後に１重量％未満の水分摂取量を有する、請求項１に記載のセルロース複合材料。
【請求項２７】
前記ポリマー複合材料が、自動車部品、デッキ用材料、フェンス用材料、レール、屋根ふき材、サイディング、消費者用品、家電用部品および３Ｄ印刷部品からなる群より選択される物品の少なくとも一部を形成する、請求項２６に記載のセルロース複合材料。
【請求項２８】
セルロース複合材料を製造するためのプロセスであって、前記プロセスは、１０重量％を超える水分を有する湿潤パルプおよびポリマーマトリックスを含む混合物を連続的に溶融加工するステップを含む、プロセス。
【請求項２９】
前記パルプの水分含有量が、前記パルプの少なくとも１５重量％である、請求項２８に記載のプロセス。
【請求項３０】
前記パルプの水分含有量が、前記パルプの少なくとも２０重量％である、請求項２９に記載のプロセス。
【請求項３１】
前記パルプの水分含有量が、前記パルプの少なくとも３０重量％である、請求項３０に記載のプロセス。
【請求項３２】
前記複合材料を形成するために、前記連続的に溶融加工するステップにより形成されたマスターバッチをさらに溶融加工するステップをさらに含む、請求項２８に記載のプロセス。
【請求項３３】
前記さらに溶融加工するステップの前に前記マスターバッチを希釈することをさらに含む、請求項３２に記載のプロセス。
【請求項３４】
前記混合物が、添加剤および充填材のうちの少なくとも１つをさらに含む、請求項３２に記載のプロセス。
【請求項３５】
前記連続的に溶融加工するステップおよび前記さらに溶融加工するステップのそれぞれが、コンパウンディング、射出成形および押し出しのうちの１つである、請求項３２に記載のプロセス。
【請求項３６】
前記マスターバッチが５０〜９９重量％の範囲のパルプを含有し、前記さらに溶融加工するステップの後に、複合材料が５〜５０重量％の範囲のパルプを含有する、請求項３２に記載のプロセス。
【請求項３７】
前記ポリマーマトリックスが熱可塑性ポリマーマトリックスである、請求項３２に記載のプロセス。
【請求項３８】
前記連続的に溶融加工するステップの前にパルプの水分含有量を増加させるステップをさらに含む、請求項３２に記載のプロセス。
【請求項３９】
請求項２８のプロセスに従って製造されたセルロース複合材料。
【請求項４０】
製造の物品を形成するプロセスであって、前記プロセスは、
ａ）１０重量％を超える水分を有する湿潤パルプおよびポリマーマトリックスを含む混合物を連続的に溶融加工するステップと、
ｂ）溶融加工された混合物を前記物品に押し出す、圧縮成形する、または射出成形するステップと、を含むプロセス。
【請求項４１】
前記押し出すステップの前に溶融加工された混合物をペレット化することをさらに含む、請求項４０に記載のプロセス。
【請求項４２】
前記木材パルプはリサイクルされた繊維である、請求項１に記載のセルロース複合材料。
【請求項４３】
前記連続的に溶融加工するステップは、押し出し、射出成形、ブロー成形、回転成形、熱力学的混合およびバッチ混合のうちの少なくとも１つを含む、請求項２８に記載のプロセス。
【請求項４４】
前記連続的に溶融加工するステップは、押し出し、射出成形、ブロー成形、回転成形、熱力学的混合およびバッチ混合のうちの少なくとも１つを含む、請求項４０に記載のプロセス。
【請求項４５】
前記熱力学的混合は、ペレット粉砕を含む、請求項４３に記載のプロセス。
【請求項４６】
前記熱力学的混合は、ペレット粉砕を含む、請求項４４に記載のプロセス。